(57)【特許請求の範囲】
【請求項１】
口部７上面中央より上方付勢状態で上下動可能にステム８を突出させてなるエアゾール容器体２の上端部に着脱可能に櫛型吐出具４を嵌着させてなり、上記吐出具４は、容器体２上端部に嵌着固定させた周壁17上端より延設した頂壁18中央に下端を開口して内部に通液路20を形成した支持筒19を立設するとともに、該支持筒19の前面に櫛歯21を突設し、且つ、櫛歯21基端部分の支持筒19に吐出孔22を穿設させた吐出具本体14と、該本体の周壁17内周に嵌合筒25を嵌着させて本体14に装着させ、全体を柔軟で弾力性のある材質で形成した押し釦部材15とからなり、上記押し釦部材15は、上記嵌合筒25前部にヒンジ29介して前部を連結して上下揺動可能に設けた揺動板26と、該揺動板26中央を貫通して一体に設けるとともに、下端を上記ステム８に嵌合させ、且つ、上端を上記通液路20内下部に液密且つ摺動可能に嵌合させた注出筒27と、上記揺動板26後部より上方へ突設して、上端部を吐出具本体頂壁18を貫通して押し下げ可能に突出させた押し釦28とを備え、上記揺動板26と注出筒27との連結構造を、注出筒27周囲の揺動板26に穿設した窓孔31の左右内壁面より、注出筒27左右外面に棒状連結部32を掛け渡した構造とし、上記注出筒27を、下方の大径部27a 及び上方の小径部27b より構成するとともに、大径部27a 上面より上方へ広がる環状シール部30を立設し、上記通液路20下端部を大径にした大径通液路20a 内に上記シール部30上端縁を上下摺動可能に嵌合させるとともに、上記小径部27b 上端を小径の通液路20下端部内に周囲に隙間をあけて挿入してなることを特徴とする櫛型吐出具を備えたエアゾール容器。
【請求項２】
口部７上面中央より上方付勢状態で上下動可能にステム８を突出させてなるエアゾール容器体２の上端部に着脱可能に櫛型吐出具４を嵌着させてなり、上記吐出具４は、容器体２上端部に嵌着固定させた周壁17上端より延設した頂壁18中央に下端を開口して内部に通液路20を形成した支持筒19を立設するとともに、該支持筒19の前面に櫛歯21を突設し、且つ、櫛歯21基端部分の支持筒19に吐出孔22を穿設させた吐出具本体14と、該本体の周壁17内周に嵌合筒25を嵌着させて本体14に装着させ、全体を柔軟で弾力性のある材質で形成した押し釦部材15とからなり、上記押し釦部材15は、上記嵌合筒25前部にヒンジ29介して前部を連結して上下揺動可能に設けた揺動板26と、該揺動板26中央を貫通して一体に設けるとともに、下端を上記ステム８に嵌合させ、且つ、上端を上記通液路20内下部に液密且つ摺動可能に嵌合させた注出筒27と、上記揺動板26後部より上方へ突設して、上端部を吐出具本体頂壁18を貫通して押し下げ可能に突出させた押し釦28とを備え、上記揺動板26と注出筒27との連結構造を、注出筒27周囲の揺動板26に穿設した窓孔31の左右内壁面より、注出筒27左右外面に棒状連結部32を掛け渡した構造とし、上記容器体口部７外周に下部内面を嵌合させてステム８上方へ起立する内筒９上端より外向きフランジ10を介して外筒11を垂設してなる取り付け筒部材３を設け、該部材３の外筒11外周に吐出具本体周壁17を着脱可能に嵌合させてなることを特徴とする櫛型吐出具を備えたエアゾール容器。
【請求項３】
口部７上面中央より上方付勢状態で上下動可能にステム８を突出させてなるエアゾール容器体２の上端部に着脱可能に櫛型吐出具４を嵌着させてなり、上記吐出具４は、容器体２上端部に嵌着固定させた周壁17上端より延設した頂壁18中央に下端を開口して内部に通液路20を形成した支持筒19を立設するとともに、該支持筒19の前面に櫛歯21を突設し、且つ、櫛歯21基端部分の支持筒19に吐出孔22を穿設させた吐出具本体14と、該本体の周壁17内周に嵌合筒25を嵌着させて本体14に装着させ、全体を柔軟で弾力性のある材質で形成した押し釦部材15とからなり、上記押し釦部材15は、上記嵌合筒25前部にヒンジ29介して前部を連結して上下揺動可能に設けた揺動板26と、該揺動板26中央を貫通して一体に設けるとともに、下端を上記ステム８に嵌合させ、且つ、上端を上記通液路20内下部に液密且つ摺動可能に嵌合させた注出筒27と、上記揺動板26後部より上方へ突設して、上端部を吐出具本体頂壁18を貫通して押し下げ可能に突出させた押し釦28とを備え、上記揺動板26と注出筒27との連結構造を、注出筒27周囲の揺動板26に穿設した窓孔31の左右内壁面より、注出筒27左右外面に棒状連結部32を掛け渡した構造とし、上記注出筒27を、下方の大径部27a 及び上方の小径部27b より構成するとともに、大径部27a 上面より上方へ広がる環状シール部30を立設し、上記通液路20下端部を大径にした大径通液路20a 内に上記シール部30上端縁を上下摺動可能に嵌合させるとともに、上記小径部27b 上端を小径の通液路20下端部内に周囲に隙間をあけて挿入し、上記容器体口部７外周に下部内面を嵌合させてステム８上方へ起立する内筒９上端より外向きフランジ10を介して外筒11を垂設してなる取り付け筒部材３を設け、該部材３の外筒11外周に吐出具本体周壁17を着脱可能に嵌合させてなることを特徴とする櫛型吐出具を備えたエアゾール容器。
【発明の詳細な説明】
【０００１】
【産業上の利用分野】
本発明は櫛型噴出具を備えたエアゾール容器に関する。
【０００２】
【従来の技術】
エアゾール容器として、上端に上方付勢状態で上下動可能にステムを突設し、該ステムを押し下げることにより、内部の吐出弁が開弁して、収納液を泡状に吐出する如く構成したエアゾール容器体と、該ステムに嵌着固定して内部に前方注出孔に至る液通路を設けてなる筒状ヘッドとからなるものが極一般的に知られている。
【０００３】
これらは、ヘッドを押し下げることによりステムが押し下げられ、容器体内部の押し下げ開弁式の吐出弁が開いて、泡状に形成された液がステム上端より通液路を介してヘッドの注出孔より噴出される如く構成している。
【０００４】
また、最近では、この様な容器の応用として、上記ヘッドに代えて櫛型吐出具を備えたものも提案されている。これらの容器として、例えば、容器体に嵌着させた取り付け筒と、該筒に周壁下端を嵌着させて装着するとともに、周壁上端より延設した頂壁中央に下端を開口し、内部に通液路を形成した支持筒を立設し、更に、支持筒前面より櫛歯を突設するとともに、櫛歯基端部の支持筒に吐出孔を開口させた吐出具本体と、上記取付け筒にヒンジを介して上下揺動可能に設けた揺動板の中央を貫通して一体に設けるとともに、下端を上記ステムに嵌着し、上端を支持筒の上記通液路内下部に液密且つ摺動可能に嵌合させた注出筒と、揺動板後部より立設するとともに、上端を上記吐出具本体頂壁を貫通して押し込み可能に突出させた押し釦を備えてなるものがある。
【０００５】
そして、押し釦を押し込むことにより、ヒンジを中心に回動下降する揺動板によりステムを押し下げ、容器体内の液を注出筒を介して通液路から吐出孔を通して吐出する如く構成している。
【０００６】
【発明が解決しようとする課題】
上記した従来の容器では、操作性が悪く、内容物の円滑な注出を行い難いという問題がある。即ち、押し釦を押し込むと揺動板はヒンジを支点として押し下げられるが、この場合、取り付け筒と吐出具本体とはそれぞれ容器本体に固定されて動かず、一方注出筒は揺動板と一体に連結しているため、揺動板の下方回動の際に注出筒は後方へ回動する如く力が働く（実際は通液路の内壁面により前方へ押圧されて後方への回動はない）。従って、注出筒先端部の摺動パッキンには、それが下方へ下降する際に後方へ局部的に大きな力が働き、パッキンの摺動性が悪くなり、従って容器の操作性が悪くなる。
【０００７】
本発明の目的の一つは、操作性に優れ、内容物を円滑に注出することの出来る優れた容器を提案するものである。
【０００８】
また、本発明の目的の一つは、上記目的に加えて、構造を簡単にして部材数を極力少なくし、安価に製造できる容器を提案するものである。
【０００９】
また、従来のこの種容器は、収納液を使い切った後は、櫛型吐出具を容器体に装着固定したまま容器を廃棄しているが、櫛型吐出具をいちいち廃棄するのは不経済である。
【００１０】
そこで、本発明の目的の一つは、上記各目的に加えて、収納液使用後は、液を収納した容器体のみ或いは容器体と櫛型吐出具装着の際の補助的役割を果たす取り付け筒部材とを廃棄して、櫛型吐出具は何回も利用出来る如く構成し、しかもその着脱により機能低下を来すことのない優れた容器を提案するものである。
【００１１】
【課題を解決するための手段】
第１の手段として、口部７上面中央より上方付勢状態で上下動可能にステム８を突出させてなるエアゾール容器体２の上端部に着脱可能に櫛型吐出具４を嵌着させてなり、上記吐出具４は、容器体２上端部に嵌着固定させた周壁17上端より延設した頂壁18中央に下端を開口して内部に通液路20を形成した支持筒19を立設するとともに、該支持筒19の前面に櫛歯21を突設し、且つ、櫛歯21基端部分の支持筒19に吐出孔22を穿設させた吐出具本体14と、該本体の周壁17内周に嵌合筒25を嵌着させて本体14に装着させ、全体を柔軟で弾力性のある材質で形成した押し釦部材15とからなり、上記押し釦部材15は、上記嵌合筒25前部にヒンジ29介して前部を連結して上下揺動可能に設けた揺動板26と、該揺動板26中央を貫通して一体に設けるとともに、下端を上記ステム８に嵌合させ、且つ、上端を上記通液路20内下部に液密且つ摺動可能に嵌合させた注出筒27と、上記揺動板26後部より上方へ突設して、上端部を吐出具本体頂壁18を貫通して押し下げ可能に突出させた押し釦28とを備え、上記揺動板26と注出筒27との連結構造を、注出筒27周囲の揺動板26に穿設した窓孔31の左右内壁面より、注出筒27左右外面に棒状連結部32を掛け渡した構造とした。
【００１２】
第２の手段として、前記第１の手段に於いて、上記注出筒27を、下方の大径部27a 及び上方の小径部27b より構成するとともに、大径部27a 上面より上方へ広がる環状シール部30を立設し、上記通液路20下端部を大径にした大径通液路20a 内に上記シール部30上端縁を上下摺動可能に嵌合させるとともに、上記小径部27b 上端を小径の通液路20下端部内に周囲に隙間をあけて挿入した。
【００１３】
第３の手段として、前記第１の手段又は第２の手段に於いて、上記容器体口部７外周に下部内面を嵌合させてステム８上方へ起立する内筒９上端より外向きフランジ10を介して外筒11を垂設してなる取り付け筒部材３を設け、該部材３の外筒11外周に吐出具本体周壁17を着脱可能に嵌合させた。
【００１４】
【作用】
図１の状態から押し釦２８を押し下げると、ヒンジ２９を支点として揺動板２６が下方へ回動し、それに伴って注出筒２７が下降するため、ステム８が押し下げられ、容器体２内の液がステム８上端より注出筒２７、通液路２０、吐出孔２２を介して外部へ吐出される。
【００１５】
この際、注出筒２７は、その左右を棒状連結部３２により揺動板２６に支持されているため、揺動板２６がヒンジ２９を中心に回動しても、各棒状連結部３２がねじれるため、注出筒２７先端が後方へ押される力を緩和し、その結果、注出筒２７が円滑な上下動を行う。
【００１６】
押し釦２８の押圧を解除すると、ステム８の上方付勢力により注出筒２７が押し上げられ、それに伴って揺動板２６、押し釦２８が元の状態に戻る。
【００１７】
また、第２の手段の容器では、上記注出筒27の摺動部分が揺動板26に近く、その揺動幅が上端を摺動部分とした場合と比較して小さいことと、上記注出筒の取り付け構造とがあいまって、より円滑な注出筒27の上下動を行える。
【００１８】
【実施例】
以下、本発明の実施例を図面を参照して説明する。
【００１９】
図１及び図２は本発明の一実施例を示すもので、図中１は櫛型吐出具を備えたエアゾール容器を示す。該容器１は、エアゾール容器体２と、該容器体２に取り付け筒部材３を介して装着させた櫛型吐出具４とを備えている。
【００２０】
エアゾール容器体２は、筒状胴部５上端より肩部６を介して小径の口部７を起立させ、該口部７上面中央より上方付勢状態で上下動可能にステム８を突出させ、該ステム８を押し下げることにより、内蔵吐出弁が開き、ガス圧で収納液を泡状にステム上端より吐出する如く構成した公知の泡噴出機構を有するものである。
【００２１】
上記容器体２には取り付け筒部材３を嵌着固定している。該部材３は、容器体口部７外周に下部を嵌着させ、上部を外方へ広がるテーパ状に形成し、且つステム８の突出幅よりも大きな突出幅をなす内筒９上端縁より外向きフランジ１０を延設し、該フランジ１０外周より容器体肩部６外周縁上面に至る外筒１１を垂設し、該外筒１１の上部は縮径させてそこに螺条１２を周設している。
【００２２】
この取り付け筒部材３は容器体２に嵌着固定させておいて、収納液がなくなった場合に、取り付け筒部材３付きの容器体２のみを交換出来る様に構成している。その場合、図２に示す如く、その上面にバージンシール用の蓋板１３を剥離可能に貼着させ、交換用として構成することができる。
【００２３】
櫛型吐出具４は、吐出具本体１４と、押し釦部材１５とを備えている。
【００２４】
吐出具本体１４は合成樹脂等により形成されたもので、上記取り付け筒部材３の外筒１１上部外周に嵌合させて、内周面に周設した螺条１６を上記螺条１２に螺合させた周壁１７上端縁より内方へ上昇するテーパ状の頂壁１８を延設し、該頂壁１８の中心部に下端を開口して上方へ有頂縦長の支持筒１９を立設し、該支持筒１９内に通液路２０を形成している。また、支持筒１９の前面より縦列する多数の櫛歯２１を突設し、各櫛歯基端部の支持筒１９前部に複数の吐出孔２２を縦列して穿設させている。更に、頂壁１８裏面中央部より上記通液路２０と連通し、通液路２０より大径の短筒２３を垂設し、通液路２０の下端に大径通液路２０ａ  を形成している。また、頂壁１８の後部には後述する押し釦を突出させるための窓孔２４を穿設している。
【００２５】
押し釦部材１５はエラストマー等の柔軟で弾力性に富んだ材質で一体に形成されたもので、嵌合筒２５と、揺動板２６と、注出筒２７と、押し釦２８とを備えている。
【００２６】
嵌合筒２５は上下端面を開口した筒状をなしており、その内部には揺動板２６を、その前部を嵌合筒２５の前部内側にヒンジ２９を介して回動可能に連結させることにより、該ヒンジ２９を支点として上下揺動可能に収納している。また、揺動板２６の中央部を貫通して注出筒２７を一体に起立させ、更に、揺動板２６後部上面に縦長箱型の押し釦２８を立設している。
【００２７】
そして、吐出具本体１４の周壁１７内周上部に嵌合筒２５を嵌着固定させるとともに、注出筒２７の下端部を上記ステム８上端に液密に嵌着させ、また、押し釦２８を上記窓孔２４より押し込み可能に突出させて装着している。
【００２８】
本実施例では、注出筒２７の下部を大径部２７ａ  に、上部を内向きフランジを介して縮径させた小径部２７ｂ  に構成し、また大径部上面より上方外方へ広がる環状シール部３０を立設し、該シール部上端縁を上記短筒２３内周面である大径通液路２０ａ  内壁面に液密且つ上下摺動可能に嵌合させている。また、上部の小径部２７ｂ  上端を支持筒１９下端部分の小径の通液路２０下端部分に、周囲に隙間をあけて挿入させている。
【００２９】
本発明では、上記揺動板２６と注出筒２７との連結構造を特殊構造とすることにより、押し釦２８を押し下げた際の注出筒２７が後方へ押圧される力を減少させ、注出筒２７の円滑な上下動を行える如く構成している。そのため、注出筒２７周囲の揺動板２６に注出筒を囲繞する窓孔３１を穿設し、この窓孔３１の左右内壁面より注出筒２７左右外面に棒状連結部３２を掛け渡した連結構造に構成している。尚、本実施例では、窓孔３１を平面視矩形状に形成しているが、これに限られず、注出筒２７周囲を囲繞して設けたものであれば、平面視円形等その他の形状であっても差し支えない。
【００３０】
【発明の効果】
以上説明した如く本発明によれば、揺動板と注出筒との連結構造を、注出筒周囲の揺動板に穿設した窓孔の左右内壁面より、注出筒左右外面に棒状連結部を掛け渡した構造としたので、押し釦の押し込みにより下降する注出筒の前後方向の揺動を極力抑えることができて、円滑な注出筒の上下動を行え、ひいては容器の円滑な作動を行えるものである。また、注出筒の前後方向の揺動が小さいため、注出筒と通液路とのシール部分のシール性もより良好に維持することができる。
【００３１】
また、吐出具本体を着脱可能に容器体に装着したので、容器体内収納液を使い切った際は、吐出具本体及び押し釦部材は何回も使用できるため経済的である。
【００３２】
また、吐出具は、吐出具本体と押し釦部材との二部材で構成して、両者を嵌着させたものであるため、構造が簡単で、組み付けも容易であり、従って安価に製造できる利点を兼ね備えている。
【００３３】
また、第２の手段の容器では、揺動幅の大きい注出筒先端部はフリーとなり、揺動幅の小さい注出筒下部に摺動部分があり、しかも、摺動部分は上方へ広がるテーパ状の環状シール部上端縁であるため、上記注出筒の特殊な取り付け構造とあいまって、より注出筒の上下摺動が円滑に行えるものである。
【００３４】
また、第３の手段の容器では、取り付け筒部材を介して吐出具を簡単に嵌合装着させることができるとともに、取り付け筒部材上面にバージンシール用の蓋板を貼着すれば、ステムの誤った押し下げを防止できる取り替え用容器体を簡単に形成できる。
【図面の簡単な説明】
【図１】本発明の一実施例を示す一部切り欠き側面図である。
【図２】同実施例の分解斜視図である。
【符号の説明】
２…エアゾール容器体，３…取り付け筒部材，４…櫛型吐出具，７…口部，８…ステム，９…内筒，１０…外向きフランジ，１１…外筒，１４…吐出具本体，    １５…押し釦部材，１７…周壁，１８…頂壁，１９…支持筒，２０…通液路，    ２０ａ  …大径通液路，２１…櫛歯，２２…吐出孔，２５…嵌合筒，２６…揺動板，    ２７…注出筒，２７ａ  …大径部，２７ｂ  …小径部，２８…押し釦，２９…ヒンジ，    ３０…環状シール部，３１…窓孔，３２…棒状連結部
【図１】
0003633962.tif 000002
【図２】
0003633962.tif 000003